(57)【要約】    【課題】スタンドパウチの外観を有し、両側にポケットを有していて立体的で嵩張る物品と平面的で薄い物品を分けて収納することができる利便性を有する、ポケット付きバッグ。    【解決手段】一対の胴面部材及び該一対の胴面部材間に挟まれるボトムガセットと、各胴面部材の外面又は内面に重ねられている外ポケット構成材とからなる。一対の胴面部材の上端にはスライダー付きファスナが接続される。一対の胴面部材について各胴面部材の下端とこれに対応しているボトムガセットの下端と外ポケット構成材の下端にボトムヒートシールが施されているとともに、両方の胴面部材の片側の側端とこれに対応しているボトムガセットと外ポケット構成材の側端を一体接着するサイドヒートシールが施されている。スタンドパウチ形態の収容部並びに外ポケットが形成されている。【選択図】  図１
2005296301.tif 000002
【特許請求の範囲】
【請求項１】
スタンドパウチ形態の収容部を構成するための、一対の胴面部材及び該一対の胴面部材間に挟まれる断面逆Ｖ字型に折り畳んで形成されているボトムガセットと、各胴面部材の外面又は内面に重ねられていて、胴面部材に対して上端が低く、側端縁が一致又はほぼ一致し、下端が一致している外ポケット構成材又は内ポケット構成材とからなり、
一対の胴面部材について、各胴面部材の下端とこれに対応しているボトムガセットの下端と外ポケット構成材又は内ポケット構成材の下端にボトムヒートシールが施されているとともに、
両方の胴面部材の片側の側端とこれに対応しているボトムガセットと外ポケット構成材又は内ポケット構成材の側端を一体接着するサイドヒートシールが施されていることにより、
スタンドパウチ形態の収容部並びに外ポケット又は内ポケットが形成されていることを特徴とするポケット付きバッグ。
【請求項２】
一対の胴面部材の上端に、スライダー付きファスナ又は線状ファスナ又は面状ファスナが接続されていることを特徴とする請求項１に記載のポケット付きバッグ。
【請求項３】
一方の胴面部材とこれに対応している外ポケット構成材又は内ポケット構成材が一つの包材をＶ字型に折り畳んで形成されていることを特徴とする請求項１に記載のポケット付きバッグ。
【請求項４】
ボトムガセットと両側の内ポケット構成材又は外ポケット構成材が一つの包材を断面逆Ｍ字型に折り畳んで形成されていることを特徴とする請求項１に記載のポケット付きバッグ。
【請求項５】
両側の胴面部材とボトムガセットと両側の外ポケット構成材又は内ポケット構成材が格別の包材で形成されていることを特徴とする請求項１に記載のポケット付きバッグ。
【発明の詳細な説明】
【技術分野】
【０００１】
本願発明は、スタンドパウチの外観を有し、両側に幅一杯のポケットを有していて立体的で嵩張る物品と平面的で薄い物品を分けて収納することができる利便性を有する、ポケット付きバッグに関する。
【背景技術】
【０００２】
スタンドパウチは、内容積が大きく自立性があり包装袋として広く普及している。
しかし、従来において、スタンドパウチと平袋が合わさっている複式バックは提案されていない。さらに、ファスナー付きのスタンドパウチと平袋が合わさっている複式バックも提案されていない。
【発明の開示】
【発明が解決しようとする課題】
【０００３】
例えば、十数種類の薬について、朝、昼、晩の３回に異なる組み合わせて服用する必要がある場合に、間違いなく服用するためには、調剤薬局で薬を貰った後、直ぐに朝、昼、晩の各１回毎に服用する薬の組み合わせとなるように分けて、１回に服用する薬の組み合わせを小袋に入れて朝、昼、又は晩の文字表記をして、バッグに詰めておくと良い。
そのようなバッグとして、内容積が大きく自立性があるスタンドパウチを選ぶ場合に、薬と関連付けて携帯するものとして、病院に通院する日を昼しておくカレンダーと、朝、昼、晩に飲む薬の一覧表と、薬手帳と、健康保険証などがあり、これらをバッグに仕舞って携帯できれば便利である。
この場合に、１回に服用する薬の組み合わせ入れた小袋は、１４日分で４２袋にもなり、これらの小袋と、カレンダーや薬の一覧表や薬手帳や健康保険証等と一緒にバッグの中に仕舞うのでは、甚だ乱雑になってしまう。
そこで、ファスナー付きのスタンドパウチの両側にポケットが一体に形成されているポケット付きバッグが提供されるならば、１回に服用する薬の組み合わせ入れた多数の小袋は、容積が大きいスタンドパウチ部分に入れ、カレンダーや薬の一覧表や薬手帳や健康保険証等は、平面的空間として確保されるポケットに仕舞っておけるので、整然と仕舞うことができる。そして、カレンダーと薬の一覧表は一方のポケットに収容したら出し入れせずにバッグの外から見えるようにして、又、出し入れを頻繁に行う薬手帳や健康保険証等は他方のポケットに収容して置ければ、大変に便利である。
その他、容積が嵩張る身の回り品と、ノート類等の平面的な品物とを常に携帯したいニーズがあるので、ファスナー付きのスタンドパウチの両側にポケットが一体に形成されているポケット付きバッグが提供されるならば、大変に便利である。
【０００４】
本願発明は、上記のニーズに基づいて案出したもので、スライダー付きファスナー付きのスタンドパウチの外観を有し、両側にポケットを有していて立体的で嵩張る物品と平面的で薄い物品を分けて収納することができる利便性を有する、ポケット付きバッグを提供することを目的としている。
本願発明は、量産性があり製造コストが極めて安くすることができる、ポケット付きバッグを提供することを目的としている。
本願発明は、既製品の平袋に簡単な改造を加えてスタンドパウチの両側にポケットが一体に形成され得る、ポケット付きバッグを提供することを目的としている。
【課題を解決するための手段】
【０００５】
本願発明は、スタンドパウチ形態の収容部を構成するための、一対の胴面部材及び該一対の胴面部材間に挟まれる断面逆Ｖ字型に折り畳んで形成されているボトムガセットと、各胴面部材の外面又は内面に重ねられていて、胴面部材に対して上端が低く、側端縁が一致又はほぼ一致し、下端が一致している外ポケット構成材又は内ポケット構成材とからなり、一対の胴面部材について、各胴面部材の下端とこれに対応しているボトムガセットの下端と外ポケット構成材又は内ポケット構成材の下端にボトムヒートシールが施されているとともに、両方の胴面部材の片側の側端とこれに対応しているボトムガセットと外ポケット構成材又は内ポケット構成材の側端を一体接着するサイドヒートシールが施されていることにより、スタンドパウチ形態の収容部並びに外ポケット又は内ポケットが形成されていることを特徴とするポケット付きバッグである。
本願発明は、一対の胴面部材の上端に、スライダー付きファスナ又は線状ファスナ又は面状ファスナが接続されていることが好ましい。
特に、本願発明には、一方の胴面部材とこれに対応している外ポケット構成材又は内ポケット構成材が一つの包材をＶ字型に折り畳んで形成されていることを特徴とするポケット付きバッグと、ボトムガセットと両側の内ポケット構成材又は外ポケット構成材が一つの包材を断面逆Ｍ字型に折り畳んで形成されていることを特徴とするポケット付きバッグと、両側の胴面部材とボトムガセットと両側の外ポケット構成材又は内ポケット構成材が格別の包材で形成されていることを特徴とするポケット付きバッグとが含まれる。
【発明の効果】
【０００６】
本願発明のポケット付きバッグは、スタンドパウチが形成され両側側端及び下端が一致している外ポケット又は内ポケットが形成されている形態のバッグを提供することができ、容積が嵩張る品物はスタンドパウチに、又、平面的な品物はポケットに分けて収納できる利便性がある。例えば、１回に服用する薬の組み合わせ入れた多数の小袋をスタンドパウチに収容し、皺くしゃになり易いカレンダーや薬の一覧表や薬手帳や健康保険証等をポケットに仕舞っておけるので、整然と仕舞うことができ、又、出し入れを殆どしないカレンダーや薬の一覧表と、出し入れを頻繁に行う薬手帳や健康保険証等を両側のポケットに分けて収容できるので、大変に便利である。
本願発明のポケット付きバッグは、全ての構成部材について連続材料を採用して製造することができるので、量産性があり、低コストで製造できる。
本願発明のポケット付きバッグであって、スライダー付きファスナーを上端に有する構成のものは、バッグを逆さにしたときにスタンドパウチに収容した重力が大きくて嵩張る品物のスタンドパウチからの脱出を防止でき、携帯の安全性を確保できる。
本願発明のポケット付きバッグは、既製品の平袋に簡単な改造を加えてスタンドパウチの両側にポケットが一体に形成され得る。
【発明を実施するための最良の形態】
【０００７】
本願発明のポケット付きバッグについて、第一の実施の形態を図１(a),(b)を参照して説明する。
このポケット付きバッグＢ１は、上端にスライダー付きファスナー１が付設されているスタンドパウチが形成され、両側外面に外ポケットが形成されている形態であり、１つの包材を断面Ｖ字型に折り畳んでスタンドパウチの胴面部材２と外ポケット構成材３aが構成されている。
このポケット付きバッグＢ１は、１つの包材からできている一対の外ポケット付き胴面部材とボトムガセット４の３つの包材でスタンドパウチの空間部が形成されている。
スタンドパウチの胴面部材２と外ポケット構成材３aとを構成する包材は、断面Ｖ字型に折り込まれてから重ね合わされていてかつ内側の端縁が外側の端縁よりも所要寸法高くなるようにずれていることにより、両側に外ポケットが形成されている。
ボトムガセット４は、山折りに半折されており、下端を胴面部材２の折り返し下端に合わされている。
スタンドパウチの胴面部材２と外ポケット構成材３aとを構成する包材及びボトムガセット４とを構成する包材は、両面ヒートシール性を有する合成樹脂製のシート又はフィルムからなる。両面ヒートシール性を有するように構成されていれば、単層のシート又はフィルム、複数層に積層されたシート又はフィルムのいずれでも良い。ヒートシール面はCPPとCPP、又はPEとPEを合わせるようにする。胴面部材２の厚みは、２５０μｍ〜３５０μｍ位が好ましく、外ポケット構成材３aの厚みは、胴面部材２の厚みよりも小さいのが好ましい。
一対の胴面部材２の上端縁同士が重ね合わされていて、ここに、スライダー付きファスナ１が挟まれて接続ヒートシール５が施されている。
スライダー付きファスナ１は、ベース部に突条部を有する雄型ファスナ部材１aの該突条部と、ベース部に前記突条部と嵌合し得る溝部を有する雌型ファスナ部材１bの該溝部とが、雄型ファスナ部材と雌型ファスナ部材の上部を抱え込んで係合するスライダー１ｃの移動により開閉自在である機能部材である。そして、雄型ファスナ部材のベース部と雌型ファスナ部材のベース部とが、前記一対の胴面部材の高い方の上端縁間に挟まれて接続ヒートシールされている。
そして、一方の胴面部材２の下端とボトムガセット４の一方の下端にボトムヒートシール６が施されていると共に、他方の胴面部材２の下端とボトムガセット４の他方の下端にボトムヒートシール６が施されており、さらに、両側の胴面部材２の側縁と外ポケット構成材３aの側縁とボトムガセット４の側縁とが一体に閉じるようにサイドヒートシール７が施されている。
もって、スライダー付きファスナー開閉式のスタンドパウチが形成されかつ該スタンドパウチの両側外面に外ポケットが形成されている。
なお、外ポケット構成材３の上端縁には平袋内へ入り込んだ飛び出し防止用折り返し縁が延設されている。この折り返し縁は、カレンダー等の書類の飛び出しを防止する役目を果たしている。
そして、ハトメ８が設けられ、把手部９が設けられている。
【０００８】
続いて、上記構成の第一の実施の形態のポケット付きバッグを量産可能に製造する方法について簡単に説明する。
(1)原反ロールから幅広の包材を繰り出して半裁して、一対の半裁包材をそれぞれに三角板フォーマーに掛けて半折して引き続いて一端縁を内側に折り込んで飛び出し防止用折り返し縁を形成し、他方の端縁が飛び出し防止用折り返し縁よりも延びている状態にする。
(2) 飛び出し防止用折り返し縁が外側に来るようにして、一対の半裁包材を上下に重ねて移送し、間に、別包材を三角板フォーマーに掛けて半折したボトムガセット用連続材を挟んで移送させてボトムヒートシールを施す。従って、各半裁包材は、外ポケットを構成する。
(3)ボトムガセット用連続材とは反対側で、雄型ファスナ部材と雌型ファスナ部材とを噛合させた状態で、それらのベース部を一対の半裁包材間に挟んで移送させて、接続ヒートシールを施す。
(4)袋幅毎の走行の間欠停止時に、ファスナ部材にはかからないようにエンドヒートシールを施し、次ぎの下流側の位置でエンドヒートシールのシール幅中央をカットする。
(5)切り離した袋にスライダーを嵌合して、ファスナ部材の両端を潰すパンチヒートシールを施し、上の隅にハトメを付けてここに吊り下げを付ければ、製作完了となる。
【０００９】
次に、本願発明のポケット付きバッグについて、第二の実施の形態を図２(a),(b)を参照して説明する。
このポケット付きバッグＢ２は、スライダー付きファスナーを上端に有するスタンドパウチが形成され、両側内面に内ポケットが形成されている形態であり、１つの包材を断面Ｖ字型に折り畳んでスタンドパウチの胴面部材２と内ポケット構成材３ｂが構成されている。
このポケット付きバッグＢ２は、１つの包材からできている一対の内ポケット付き胴面部材２とボトムガセット４の３つの包材でスタンドパウチの空間部が形成されている。
スタンドパウチの胴面部材２と内ポケット構成材３bとを構成する包材は、断面Ｖ字型に折り込まれてから重ね合わされていてかつ外側の端縁が内側の端縁よりも所要寸法高くなるようにずれていることにより、両側に内ポケットが形成されている。
ボトムガセット４は、山折りに半折されており、下端を胴面部材２の折り返し下端に合わされている。
スタンドパウチの胴面部材２と内ポケット構成材３bとを構成する包材及びボトムガセット４とを構成する包材は、両面ヒートシール性を有する合成樹脂製のシート又はフィルムからなる。
一対の胴面部材２の上端縁同士が重ね合わされていて、ここに、スライダー付きファスナ１が挟まれて接続ヒートシール５が施されている。
スライダー付きファスナ１の構成、及び一対の胴面部材の高い方の上端縁との取付け構造は、第一の実施の形態と同一である。
そして、一方の胴面部材２の下端と内ポケット構成材３ｂの下端とボトムガセット４の一方の下端にボトムヒートシール６が施されていると共に、他方の胴面部材２の下端と内ポケット構成材３bの下端とボトムガセット４の他方の下端にボトムヒートシール６が施されており、さらに、両側の胴面部材２の側縁と内ポケット構成材３bの側縁とボトムガセット４の側縁とが一体に閉じるようにサイドヒートシール７が施されている。
もって、スライダー付きファスナー開閉式のスタンドパウチが形成されかつ該スタンドパウチの両側に内ポケットが形成されている。
そして、ハトメ８が設けられ、把手部９が設けられている。
【００１０】
続いて、上記構成の第二の実施の形態のポケット付きバッグを量産可能に製造する方法について簡単に説明する。
(1)原反ロールから幅広の包材を繰り出して半裁して、一対の半裁包材をそれぞれに三角板フォーマーに掛けて一端縁と他端縁とが若干ずれるように半折する。
(2)外方に延びている端縁が外側に来るようにして、一対の半裁包材を上下に重ねて移送し、間に、別包材を三角板フォーマーに掛けて半折したボトムガセット用連続材を挟んで移送させてボトムヒートシールを施す。従って、短い方の端縁が内側に来て、内ポケットを構成する。
(3)ボトムガセット用連続材とは反対側で、雄型ファスナ部材と雌型ファスナ部材とを噛合させた状態で、それらのベース部を一対の半裁包材間に挟んで移送させて、接続ヒートシールを施す。
(4)袋幅毎の走行の間欠停止時に、ファスナ部材にはかからないようにエンドヒートシールを施し、次ぎの下流側の位置でエンドヒートシールのシール幅中央をカットする。
(5)切り離した袋にスライダーを嵌合して、ファスナ部材の両端を潰すパンチヒートシールを施し、上の隅にハトメを付けてここに吊り下げを付ければ、製作完了となる。
【００１１】
次に、本願発明のポケット付きバッグについて、第三の実施の形態を図３(a),(b)を参照して説明する。
このポケット付きバッグＢ３は、スライダー付きファスナーを上端に有するスタンドパウチが形成され、一側に内ポケットが形成されているとともに他側に外ポケットが形成されている形態であり、スタンドパウチの一方の胴面部材２と外ポケット構成材３aは、１つの包材を断面Ｖ字型に折り畳んでこうせいされており、又、スタンドパウチの他方の胴面部材２と内ポケット構成材３bも、１つの包材を断面Ｖ字型に折り畳んで構成されている。
このポケット付きバッグＢ３は、１つの包材からできている内ポケット付き胴面部材２及び外ポケット付き胴面部材２と、ボトムガセット４の３つの包材でスタンドパウチの空間部が形成されている。
スタンドパウチの一方の胴面部材２と外ポケット構成材３aとを構成する包材は、断面Ｖ字型に折り込まれてから重ね合わされていてかつ内側の端縁が外側の端縁よりも所要寸法高くなるようにずれていることにより、外ポケットが形成されている。
又、スタンドパウチの他方の胴面部材２と内ポケット構成材３bとを構成する包材は、断面Ｖ字型に折り込まれてから重ね合わされていてかつ外側の端縁が内側の端縁よりも所要寸法高くなるようにずれていることにより、内ポケットが形成されている。
ボトムガセット４は、山折りに半折されており、下端を胴面部材２の折り返し下端に合わされている。
スタンドパウチの胴面部材２と内ポケット構成材３bとを構成する包材及びボトムガセット４とを構成する包材は、両面ヒートシール性を有する合成樹脂製のシート又はフィルムからなる。
一対の胴面部材２の上端縁同士が重ね合わされていて、ここに、スライダー付きファスナ１が挟まれて接続ヒートシール５が施されている。
スライダー付きファスナ１の構成、及び一対の胴面部材の高い方の上端縁との取付け構造は、第一の実施の形態と同一である。
そして、一方の胴面部材２の下端と外ポケット構成材３ａの下端とボトムガセット４の一方の下端にボトムヒートシール６が施されていると共に、他方の胴面部材２の下端と内ポケット構成材３bの下端とボトムガセット４の他方の下端にボトムヒートシール６が施されており、さらに、両側の胴面部材２の側縁と、外ポケット構成材３ａ及び内ポケット構成材３bの側縁と、ボトムガセット４の側縁とが一体に閉じるようにサイドヒートシール７が施されている。
もって、スライダー付きファスナー開閉式のスタンドパウチが形成されかつ該スタンドパウチの両側に内ポケットと外ポケットが配設されている。
そして、ハトメ８が設けられ、把手部９が設けられている。
【００１２】
続いて、上記構成の第三の実施の形態のポケット付きバッグを量産可能に製造する方法について簡単に説明する。
(1)原反ロールから幅広の包材を繰り出して半裁して、一対の半裁包材をそれぞれに三角板フォーマーに掛けて一端縁と他端縁とが若干ずれるように半折する。
(2) 外方に延びている端縁が外側に来るようにした一方の半裁包材と、外方に延びている端縁が内側に来るようにした他方の半裁包材を上下に重ねて移送し、間に、別包材を三角板フォーマーに掛けて半折したボトムガセット用連続材を挟んで移送させてボトムヒートシールを施す。従って、内ポケットと外ポケットを構成する。
(3)ボトムガセット用連続材とは反対側で、雄型ファスナ部材と雌型ファスナ部材とを噛合させた状態で、それらのベース部を一対の半裁包材間に挟んで移送させて、接続ヒートシールを施す。
(4)袋幅毎の走行の間欠停止時に、ファスナ部材にはかからないようにエンドヒートシールを施し、次ぎの下流側の位置でエンドヒートシールのシール幅中央をカットする。
(5)切り離した袋にスライダーを嵌合して、ファスナ部材の両端を潰すパンチヒートシールを施し、上の隅にハトメを付けてここに吊り下げを付ければ、製作完了となる。
【００１３】
次に、本願発明のポケット付きバッグについて、第四の実施の形態を図４(a),(b)を参照して説明する。
このポケット付きバッグＢ４は、スライダー付きファスナーを上端に有するスタンドパウチが形成され、両側に内ポケットが形成されている形態であり、１つの包材を断面逆Ｍ字型に折り畳んで両側のポケット構成材３ｂ,３ｂとボトムガセット４が構成されている。
このポケット付きバッグＢ３は、折り込みする必要がない両側の胴面部材２,２と、内ポケット構成材３，３とボトムガセット４を構成する包材の３つでスタンドパウチの空間部が形成されている。
内ポケット構成材３，３とボトムガセット４を構成する包材は、断面逆Ｍ字型に折り込まれていている。内ポケット構成材３，３の上端は胴面部材２,２の上端よりも低くなっていて、スライダー付きファスナー１と干渉しない。又、ボトムガセット４は、下端を胴面部材の下端を合わされている。
スタンドパウチの胴面部材２,２と、内ポケット構成材３，３とボトムガセット４を構成する包材は、両面ヒートシール性を有する合成樹脂製のシート又はフィルムからなる。
一対の胴面部材２の上端縁同士が重ね合わされていて、ここに、スライダー付きファスナ１が挟まれて接続ヒートシール５が施されている。
スライダー付きファスナ１の構成、及び一対の胴面部材の高い方の上端縁との取付け構造は、第一の実施の形態と同一である。
そして、一方の胴面部材２の下端と内ポケット構成材３ｂの下端とボトムガセット４の一方の下端にボトムヒートシール６が施されていると共に、他方の胴面部材２の下端と内ポケット構成材３bの下端とボトムガセット４の他方の下端にボトムヒートシール６が施されており、さらに、両側の胴面部材２の側縁と、両側の内ポケット構成材３bの側縁と、ボトムガセット４の側縁とが一体に閉じるようにサイドヒートシール７が施されている。
もって、スライダー付きファスナー開閉式のスタンドパウチが形成されかつ該スタンドパウチの両側に内ポケットが配設されている。
そして、ハトメ８が設けられ、把手部９が設けられている。
【００１４】
続いて、上記構成の第四の実施の形態のポケット付きバッグを量産可能に製造する方法について簡単に説明する。
(1)原反ロールから幅寸法が袋高さの２倍である包材を繰り出して半裁して、一対の半裁包材を上下に重ねて移送する。
(2)別包材を三角板フォーマーに掛けて半折しさらに折り込み端を凹ませるように折り込んで断面形状を逆Ｍ字型としたボトムガセット用連続材を前記一対の半裁包材の間に挟んで移送させてボトムヒートシールを施す。このとき、ボトムガセット用連続材の端縁は半裁包材の端縁よりも所要内側にある。従って、ボトムガセット用連続材が内ポケットを構成する。
(3)ボトムガセット用連続材とは反対側で、雄型ファスナ部材と雌型ファスナ部材とを噛合させた状態で、それらのベース部を一対の半裁包材間に挟んで移送させて、接続ヒートシールを施す。
(4)袋幅毎の走行の間欠停止時に、ファスナ部材にはかからないようにエンドヒートシールを施し、次ぎの下流側の位置でエンドヒートシールのシール幅中央をカットする。
(5)切り離した袋にスライダーを嵌合して、ファスナ部材の両端を潰すパンチヒートシールを施し、上の隅にハトメを付けてここに吊り下げを付ければ、製作完了となる。
【００１５】
上記の実施の形態は、いずれも、スライダー付きファスナーを上端に有するスタンドパウチが形成され、該スタンドパウチの一方の胴面部材にポケット構成材が重なり外ポケット又は内ポケットのいずれか一方が形成されているとともに、該スタンドパウチの他方の胴面部材にポケット構成材が重なり外ポケット又は内ポケットのいずれか一方が形成されており、ポケット構成材は、上端がスライダー付きファスナーと干渉しないようにスタンドパウチ上端縁よりも低くなっていて、側端縁が、スタンドパウチの側縁に一致又は略一致していて、下端がスタンドパウチの下端に一致している形態である。
本願発明は、上記に実施の形態に限定されない。ポケット付きバッグは、上端にスライダー付きファスナーを備えていない構成を含む。又、ポケット付きバッグは、スライダー付きファスナーに替えて、線状ファスナ（ジッパー）又は面状ファスナを付けた場合を含む。
本願発明のポケット付きバッグは、例えば、上記の第四の実施の形態のポケット付きバッグと同様に、一枚の包材を断面逆Ｍ字型に折り込んでから外ポケットを構成するように両側の胴面部材２,２と重ねる場合も含む。
この構成であると、既製品の上端にスライダー付きファスナー付きの平袋の市販品を入手して、該平袋のボトムガセットを切除し、別包材で断面逆Ｍ字型に折り込んでボトムガセットと外ポケット構成材を一体に形成した折込み体の、断面逆Ｖ型部分を両側の胴面部材２,２間に挟ませて、ボトムヒートシールとサイドヒートシールを施してなる、改造手作り品を作ることが容易である。なお、外ポケット構成材の上端を第一の実施の形態のポケット付きバッグと同様に飛び出し防止用折り返し縁が延設されていることが好ましい。
既製品を作りなおす別の方法として、上端にスライダー付きファスナー付きの平袋の市販品を入手して、該平袋のボトムガセットを切除すると共に、サイドシールの下半分を切除して、ひらひらになった前面部と後面部の下半分をそれぞれ外側又は内側に折り重ねて、別包材で山折りにしたボトムガセットを底部開口に収容して下端を合わせて、ボトムガセットにセパレートを挟んで、ボトムヒートシールとサイドヒートシールを施してなる、改造手作り品も含まれる。
又、スライダー付きファスナーを上端に有するスタンドパウチが形成され、該スタンドパウチの一方の胴面部材にポケット構成材が重なり外ポケット又は内ポケットのいずれか一方が形成されているとともに、該スタンドパウチの他方の胴面部材にポケット構成材が重なり外ポケット又は内ポケットのいずれか一方が形成されているとともに、ポケット上端縁はスタンドパウチ上端縁よりも低くなっている形態も含まれる。
印刷した包材で構成する場合も当然に含まれる。
上記の実施の形態の他に、スタンドパウチを構成する胴面部材及びボトムガセットとポケット構成面部とが、全て独立した包材で構成されているか、スタンドパウチを構成する片側の胴面と、これと同側となる外ポケットが１つの包材を谷折りされ、スタンドパウチを構成する他側の胴面及びこれと同側となる外ポケット及びポケット構成面部が独立した包材で構成されている、ポケット付きバッグも含まれる。
【図面の簡単な説明】
【００１６】
【図１】本願発明の第一の実施の形態に係るポケット付きバッグを示す。図１(a)は正面図、図１(b)は図１(a)におけるＡ−Ａ断面図であり、一部拡大図が付いている。
【図２】本願発明の第二の実施の形態に係るポケット付きバッグを示す。図２(a)は正面図、図２(b)は図２(a)におけるＡ−Ａ断面図であり、一部拡大図が付いている。
【図３】本願発明の第三の実施の形態に係るポケット付きバッグを示す。図３(a)は正面図、図３(b)は図３(a)におけるＡ−Ａ断面図であり、一部拡大図が付いている。
【図４】本願発明の第四の実施の形態に係るポケット付きバッグを示す。図４(a)は正面図、図４(b)は図４(a)におけるＡ−Ａ断面図であり、一部拡大図が付いている。
【符号の説明】
【００１７】
Ｂ１〜Ｂ４…ポケット付きバッグ、１…スライダー付きファスナー、
２…スタンドパウチの胴面部材、３ａ…外ポケット構成材、３ｂ…内ポケット構成材、
４…ボトムガセット、５…接続ヒートシール、６…ボトムヒートシール、
７…サイドヒートシール、
【図１】
2005296301.tif 000003
【図２】
2005296301.tif 000004
【図３】
2005296301.tif 000005
【図４】
2005296301.tif 000006